(57)【要約】      （修正有）【課題】小動物が立入防止柵外から排水溝を通じて柵内に侵入することを防止し、且つ排水溝を詰まらせることのない画期的な小動物侵入防止装置を提供する。【解決手段】回動機構５を立入防止柵１の下部胴縁６に沿設して結束バンド７で固定して取り付けるように構成し、この回動機構５に複数の侵入防止板８を間隔を置いて並設して、上下方向に回動自在に設ける。侵入防止板８は、下端部が排水溝２の下流側に向けて湾曲した形状であって、排水溝２内に垂下した状態では下端部が排水溝２の底部に接地して排水溝２の下流方向には回動するが、上流方向には回動しない。【選択図】図１
0003172877.tif 000002
【実用新案登録請求の範囲】
【請求項１】
小動物の侵入を防止する立入防止柵の下方に凹設状態に設けられている排水溝を通って前記立入防止柵内に侵入することを防止するために、前記排水溝内に垂下状態に設置する小動物侵入防止装置であって、軸部と軸受部とからなる回動機構を前記立入防止柵の下部胴縁に沿設して結束バンドで固定して取り付けるように構成し、この立入防止柵の下部胴縁に沿設状態に取り付ける回動機構に帯板状に形成した複数の侵入防止板を間隔を置いて並設して、前記侵入防止板を上下方向に回動自在に設けた構成とすると共にこれら侵入防止板により前記排水溝を閉塞して前記小動物の侵入を防止するように構成し、前記侵入防止板は、下端部を前記排水溝の下流側に向けて屈曲した形状、若しくは湾曲した形状に構成すると共に、前記排水溝内に垂下した状態ではこの下端部が該排水溝の底部に接地する形状に設定して、前記排水溝の下流方向には回動するが上流方向には回動しないように構成したことを特徴とする小動物侵入防止装置。
【請求項２】
高速道路脇に設置され下部胴縁と地面との隙間を侵入防止ネットで塞いで前記隙間からの小動物の侵入防止対策が成されている前記立入防止柵の下方地面に対して凹設状態に設けられている前記排水溝を通って前記立入防止柵内に侵入することを防止するために、前記下部胴縁に取り付けて前記排水溝内に垂下状態に設置することを特徴とする請求項１記載の小動物侵入防止装置。
【請求項３】
前記軸受部を前記立入防止柵の下部胴縁に沿設して結束バンドで固定して取り付けるように構成し、この軸受部に前記軸部を回動自在に設け、この軸部に前記複数の侵入防止板を間隔を置いて並設して、この侵入防止板を上下方向に回動自在に設けた構成としたことを特徴とする請求項１，２のいずれか１項に記載の小動物侵入防止装置。
【請求項４】
前記軸部を前記立入防止柵の下部胴縁に沿設して結束バンドで固定して取り付けるように構成し、この軸部に前記軸受部を回動自在に設け、この軸受部に前記複数の侵入防止板を間隔を置いて並設して、この侵入防止板を上下方向に回動自在に設けた構成としたことを特徴とする請求項１，２のいずれか１項に記載の小動物侵入防止装置。
【請求項５】
前記侵入防止板の回動軌跡上に前記侵入防止板が当接する当接部を設け、前記排水溝内に垂下した状態の前記侵入防止板がこの当接部に当接することで該排水溝の上流方向に回動不能となるように構成したことを特徴とする請求項１〜４のいずれか１項に記載の小動物侵入防止装置。
【請求項６】
前記複数の侵入防止板は、前記小動物の頭部の大きさよりも狭い間隔を置いて並設したことを特徴とする請求項１〜５のいずれか１項に記載の小動物侵入防止装置。
【考案の詳細な説明】
【技術分野】
【０００１】
本考案は、例えば、高速道路脇に設置されている人や動物の侵入を防止する立入防止柵の下方に凹設状態に設けられている排水溝を通って、小動物が立入防止柵内に侵入することを防止するための小動物侵入防止装置に関するものである。
【背景技術】
【０００２】
高速道路においては、人や動物が誤って高速道路内に入ってこないように高速道路脇に立入防止柵が設置されているが、それでも、高速道路内に侵入してきた野生動物と走行中の自動車との衝突事故は非常に多く、その数は年間数千から数万件も発生しており、なかには、人身事故につながる重大な事故を引き起こすケースも見られるのが現状である。
【０００３】
このように立入防止柵を設置しているにもかかわらず多くの事故が発生している原因として、侵入してくる動物がタヌキやキツネなどの小動物が圧倒的に多いことから、これら小動物は、立入防止柵の下部胴縁と地面との間の僅かな隙間を通ったり、隙間が無くても下部胴縁近傍に穴を掘ってトンネルを作ってそこを通って侵入したりしてくると考えられている。
【０００４】
そのため、例えば、立入防止柵の下部側から地面にかけて弾性を有するネットを取り付けて、立入防止柵と地面との隙間を塞ぐと共に、地面に敷設した部分が付勢押圧することで立入防止柵近傍から地中にトンネルを掘削して通り抜けることを困難にして立入防止柵内への小動物の侵入を防止する侵入防止ネットが提案されている。
【先行技術文献】
【特許文献】
【０００５】
【特許文献１】特開２００９−１３３１８５号公報
【考案の概要】
【考案が解決しようとする課題】
【０００６】
しかしながら、高速道路近傍には、高速道路の雨水を排出するための排水溝が設けられているところがあり、このような排水溝が設けられたところでは、立入防止柵はこの排水溝を跨いだ状態で設置されることとなる。そのため、折角、上記のような侵入防止ネットを設置しても、侵入防止ネットは立入防止柵同様、排水溝を跨ぐように設置され排水溝内までは塞がないため、タヌキやキツネなどの小動物は、この立入防止柵の下方に設けられている排水溝を通って容易に立入防止柵内に侵入することができる状態となっている。
【０００７】
よって、この排水溝を通じて小動物が立入防止柵内に侵入してくることを防止するために、この排水溝内にも上記の侵入防止ネットを設置して排水溝を防ぐことが望ましいが、このような侵入防止ネットで排水溝を塞ぐことで、確かに小動物の侵入は防ぐことはできるが、上流側から流れてくる落ち葉やゴミなどがこの侵入防止ネットに引っ掛かり堆積してゆき排水溝を詰まらせてしまうという問題が生じてしまう。また、この詰まりの問題を回避するために定期的な堆積物の除去作業を行うと、多くの労力や費用がかかってしまうという問題が生じてしまう。
【０００８】
本考案は、上記のような問題が生じることなく、小動物が立入防止柵外から排水溝を通じて立入防止柵内に侵入することを防止すると共に、上流側から流れてくる落ち葉などが堆積して排水溝を詰まらせるようなことがなく、スムーズに落ち葉などを下流側に排出することができる画期的な小動物侵入防止装置を提供することを目的とする。
【課題を解決するための手段】
【０００９】
添付図面を参照して本考案の要旨を説明する。
【００１０】
小動物の侵入を防止する立入防止柵１の下方に凹設状態に設けられている排水溝２を通って前記立入防止柵１内に侵入することを防止するために、前記排水溝２内に垂下状態に設置する小動物侵入防止装置であって、軸部３と軸受部４とからなる回動機構５を前記立入防止柵１の下部胴縁６に沿設して結束バンド７で固定して取り付けるように構成し、この立入防止柵１の下部胴縁６に沿設状態に取り付ける回動機構５に帯板状に形成した複数の侵入防止板８を間隔を置いて並設して、前記侵入防止板８を上下方向に回動自在に設けた構成とすると共にこれら侵入防止板８により前記排水溝２を閉塞して前記小動物の侵入を防止するように構成し、前記侵入防止板８は、下端部を前記排水溝２の下流側に向けて屈曲した形状、若しくは湾曲した形状に構成すると共に、前記排水溝２内に垂下した状態ではこの下端部が該排水溝２の底部に接地する形状に設定して、前記排水溝２の下流方向には回動するが上流方向には回動しないように構成したことを特徴とする小動物侵入防止装置に係るものである。
【００１１】
また、高速道路脇に設置され下部胴縁６と地面との隙間を侵入防止ネット９で塞いで前記隙間からの小動物の侵入防止対策が成されている前記立入防止柵１の下方地面に対して凹設状態に設けられている前記排水溝２を通って前記立入防止柵１内に侵入することを防止するために、前記下部胴縁６に取り付けて前記排水溝２内に垂下状態に設置することを特徴とする請求項１記載の小動物侵入防止装置に係るものである。
【００１２】
また、前記軸受部４を前記立入防止柵１の下部胴縁６に沿設して結束バンド７で固定して取り付けるように構成し、この軸受部４に前記軸部３を回動自在に設け、この軸部３に前記複数の侵入防止板８を間隔を置いて並設して、この侵入防止板８を上下方向に回動自在に設けた構成としたことを特徴とする請求項１，２のいずれか１項に記載の小動物侵入防止装置に係るものである。
【００１３】
また、前記軸部３を前記立入防止柵１の下部胴縁６に沿設して結束バンド７で固定して取り付けるように構成し、この軸部３に前記軸受部４を回動自在に設け、この軸受部４に前記複数の侵入防止板８を間隔を置いて並設して、この侵入防止板８を上下方向に回動自在に設けた構成としたことを特徴とする請求項１，２のいずれか１項に記載の小動物侵入防止装置に係るものである。
【００１４】
また、前記侵入防止板８の回動軌跡上に前記侵入防止板８が当接する当接部10を設け、前記排水溝２内に垂下した状態の前記侵入防止板８がこの当接部10に当接することで該排水溝２の上流方向に回動不能となるように構成したことを特徴とする請求項１〜４のいずれか１項に記載の小動物侵入防止装置に係るものである。
【００１５】
また、前記複数の侵入防止板８は、前記小動物の頭部の大きさよりも狭い間隔を置いて並設したことを特徴とする請求項１〜５のいずれか１項に記載の小動物侵入防止装置に係るものである。
【考案の効果】
【００１６】
本考案は上述のように構成したから、小動物が排水溝の下流側となる立入防止柵の外側から排水溝を通って排水溝の上流側となる立入防止柵内に侵入しようとしても、排水溝内に垂下しこの排水溝を閉塞している複数の侵入防止板によって小動物の侵入を確実に防止することができ、また、本考案の設置位置よりも上流側の排水溝内に落ちて堆積した落ち葉やゴミなどが雨水などの水流で上流側から下流側に流されてきても、本考案の設置位置で前記落ち葉やゴミなどが侵入防止板に引っ掛かって停滞し堆積して排水溝が詰まってしまうという不具合が生じないので、定期的に詰まりの有無を確認したり落ち葉やゴミなどを除去するといった厄介な作業を必要としないので、前述のようなメンテナンス費用も掛からず実用性且つ経済性に優れた画期的な小動物侵入防止装置となる。
【００１７】
即ち、本考案は、排水溝を閉塞する複数の侵入防止板を間隔を置いて並設したので、排水溝を流れる落ち葉やゴミなどが侵入防止板と侵入防止板との間を通って下流側に排出されるので、この侵入防止板に引っ掛かって停滞することが少なく、しかも、侵入防止板の下端部を排水溝の下流側に向けて屈曲若しくは湾曲した形状に形成したので、流れてきた落ち葉やゴミなどが侵入防止板の途中で引っ掛かって止まらず下端部の先端側に誘導され、侵入防止板の僅かな回動で下端部の先端側に誘導された落ち葉やゴミが容易に下流側に排出されることとなる。
【００１８】
更に、この侵入防止板の下端部を下流側に屈曲若しくは湾曲させたことにより、下端部がより水平方向に近づき、よって、排水溝を流れる水の表面と平行な関係に近づくことでこの水の表面に対しての侵入防止板の下端部の接触面積が大きくなり、より一層の浮力を得ることができるので、排水溝を流れる水の流れが僅かで流れの侵入防止板を押動する力が弱くても侵入防止板が浮くことで容易に下流方向に回動することとなり、この回動によって侵入防止板に引っ掛かって停滞していた落ち葉などが下流側に排出され、継続的な落ち葉やゴミなどの停滞・堆積がないので、排水溝がこれらで詰まることがなく、従って、落ち葉やゴミの詰まりを除去する作業も不要となる実用性、経済性に優れた画期的な小動物侵入防止装置となる。
【００１９】
更に、本考案は、既設の立入防止柵の下部胴縁に回動機構を結束バンドで固定するだけの極めて簡易な取り付け作業で取り付けることができ、しかも、回動機構が排水溝の上端部、即ち、地面よりも上方に位置するので、回動機構に落ち葉や草などが絡まり難く、また、土や砂利なども付着しにくいので、これらによって回動動作が妨げられることが無いので、これらを排除する定期的な清掃作業も必要とせず、メンテナンス性にも優れた画期的な小動物侵入防止装置となる。
【００２０】
また、請求項２記載の考案においては、本考案の作用・効果を一層発揮することができる実用性に優れた画期的な小動物侵入防止装置となる。
【００２１】
また、請求項３，４記載の考案においては、取付部などを設けず、直接回動機構を構成する軸部若しくは軸受部を立入防止柵の下部胴縁に結束バンドを用いて固定するので、極めて簡易な構成で設計実現容易な実用性に優れた小動物侵入防止装置となる。
【００２２】
また、請求項５記載の考案においては、侵入防止板の上流側への回動動作を一層確実に阻止すると共に、例えば、侵入防止板の下端部が底部に接地しないような深い排水溝に設置した際も、この当接部が侵入防止板の上流方向への回動を阻止して、確実に小動物の立入防止柵内への侵入を防止することができる実用性に優れた小動物侵入防止装置となる。
【００２３】
また、請求項６記載の考案においては、複数の侵入防止板を小動物の頭部の大きさよりも狭い間隔を置いて並設したので、この侵入防止板と侵入防止板との間隙から上流側より流れてきた落ち葉やゴミなどを通過させこの侵入防止板のところに停滞し堆積することを可及的に抑制し、更に、侵入防止板を分割したことで、一枚当たりの侵入防止板を軽量化することができ、より一層水流に対して浮き易くなり、よって、スムーズに回動して侵入防止板によって停留していた落ち葉などを下流側に排出することができる実用性に優れた小動物侵入防止装置となる。
【図面の簡単な説明】
【００２４】
【図１】本実施例の使用状態を示す説明斜視図である。
【図２】本実施例を示す説明斜視図である。
【図３】本実施例を示す分解斜視図である。
【図４】本実施例を示す断面図である。
【図５】本実施例の侵入防止板の動作を示す説明図である。
【図６】本実施例の侵入防止板の動作を示す説明図である。
【図７】本実施例の侵入防止板の動作を示す説明図である。
【図８】本実施例の使用状態を示す正面図である。
【考案を実施するための形態】
【００２５】
好適と考える本考案の実施形態を、図面に基づいて本考案の作用を示して簡単に説明する。
【００２６】
本考案は、タヌキやキツネなどの小動物が排水溝２の下流側となる立入防止柵１の外側から排水溝２を通って上流側となる立入防止柵１内に侵入しようとして排水溝２内に垂下している侵入防止板８を押動しても、この侵入防止板８の下端部が排水溝２の底部に接地して排水溝２の上流方向に回動することができないので、排水溝２内は開通することなく侵入防止板８によって閉塞状態が保持され、よって、小動物はこの排水溝２を通って立入防止柵１内に侵入することができないこととなる。
【００２７】
しかも、本考案は、軸部３と軸受部４とからなる回動機構５を立入防止柵１の下部胴縁６に沿設して結束バンド７で固定して取り付けるので、回動機構５が地面よりも高い位置に設けられることとなり、よって、回動機構５に落ち葉、雑草、土、砂利やゴミなどが付着したり絡まったりしにくくなるので、回動機構５の回動動作不良が発生しにくく、良好な回動動作が維持できることとなり、更に、取り付けも、既設の立入防止柵１の下部胴縁６に結束バンド７で固定するだけの極めて容易な作業で取り付けることができるので、非常に取り付け作業性に優れた小動物侵入防止装置となる。
【００２８】
また更に、本考案は、排水溝２を閉塞する複数の侵入防止板８を間隔を置いて並設したので、排水溝２を流れる落ち葉やゴミなどが侵入防止板８と侵入防止板８との間を通って下流側に排出されるので、この侵入防止板８に引っ掛かって停滞することが少なく、しかも、侵入防止板８の下端部を排水溝２の下流側に向けて屈曲若しくは湾曲した形状としたので、流れてきた落ち葉やゴミなどが侵入防止板８の途中で引っ掛かって止まらず下端部の先端側に誘導され、侵入防止板８の回動動作により排水溝２の底部に接地していた下端部が浮き上がることで開放されたところからこの下端部先端側に誘導された落ち葉やゴミがその場に停滞して詰まることなく容易に下流側に排出されることとなる。
【００２９】
しかも、侵入防止板の下端部を下流側に屈曲若しくは湾曲させたことにより、下端部がより水平方向に近づき、排水溝を流れる水の表面と平行な関係に近づくことでこの水の表面に対しての侵入防止板の下端部の接触面積が大きくなり、より一層の浮力を得ることができるので、水圧が小さい僅かな水の流れに対しても侵入防止板８が容易に浮き上がり下流方向に回動してこの侵入防止板８の下端部と排水溝２の底面との間が開放して排出口を形成することができるので、流れてきた落ち葉やゴミなどをスムーズに下流側に排出することができることとなる。
【００３０】
即ち、本考案は、排水溝２を通って立入防止柵１内に侵入しようとするタヌキやキツネなどの小動物の侵入を確実に防止し、しかも、排水溝内に水の流れが生じる度に排水溝２を閉塞している侵入防止板８が下流方向に回動して排水溝２の底部側を開放状態にして上流から流れてくる落ち葉やゴミ、更に侵入防止板８の下端に溜まっている落ち葉やゴミなどをスムーズに下流側に排出するので、侵入防止板８の下端に落ち葉やゴミが継続的に停滞・堆積することがなく、よって、これら落ち葉やゴミが本考案の設置個所で落ち葉やゴミなどによって排水溝２が詰まってしまう恐れもないので、定期的に排水溝２の詰まりを確認したり、堆積した落ち葉やゴミなどを排除したりする作業を行う必要もなく、故に、このようなメンテナンス作業費も掛からず、実用性且つ経済性に優れた画期的な小動物侵入防止装置となる。
【実施例】
【００３１】
本考案の具体的な実施例について図面に基づいて説明する。
【００３２】
本実施例は、高速道路脇に設置され下部胴縁６と地面との隙間を侵入防止ネット９で塞いでこの隙間からの小動物の侵入防止対策が成されている立入防止柵１の下方地面に対して凹設状態に設けられている排水溝２を通って立入防止柵１内に侵入することを防止するために、立入防止柵１の下部胴縁６に取り付けて排水溝２内に垂下状態に設置する小動物侵入防止装置である。
【００３３】
具体的には、本実施例は、図１〜図４に示すように、軸部３と軸受部４とからなる回動機構５を立入防止柵１の下部胴縁６に沿設して結束バンド７で固定して取り付けるように構成し、この立入防止柵１の下部胴縁６に沿設状態に取り付ける回動機構５に帯板状に形成した複数の侵入防止板８を間隔を置いて並設して、侵入防止板８を上下方向に回動自在に設けた構成とすると共にこれら侵入防止板８により排水溝２を閉塞して小動物の侵入を防止するように構成し、侵入防止板８は、下端部を排水溝２の下流側に向けて湾曲した形状に構成すると共に、排水溝２内に垂下した状態ではこの下端部が排水溝２の底部に接地する形状に設定して、排水溝２の下流方向には回動するが上流方向には回動しないように構成した小動物侵入防止装置である。
【００３４】
更に具体的に説明すると、回動機構５を構成する軸部３は、丸棒状に形成した金属棒で構成し、軸受部４に回動自在に設けた構成としている。
【００３５】
また、この軸部３を回動自在に支持する軸受部４は、軸部３を貫通配設する貫通孔を設けた金属製の円筒体に形成した構成とすると共に、立入防止柵１の下部胴縁６に沿設して結束バンド７で固定して取り付けるように構成している。
【００３６】
また、この軸受部４は、三体に分離した構成としており、この三体の軸受部４は、軸部３の中央部と左右端部とを支持するように構成し、これら三体の軸受部４夫々を立入防止柵１の下部胴縁６に沿設した状態で結束バンド７で固定して、回動機構５を立入防止柵１の下部胴縁６の取り付けるように構成している。
【００３７】
この固定に用いる結束バンド７は、合成樹脂製、ステンレスなどの金属製のいずれを用いても良く、また、本実施例は、屋外で使用するもの、即ち、太陽光や風、雨などに曝される環境下で使用するものであるので、この固定に用いる結束バンド７は、耐候性に優れた材質のもの（例えば、フッ素樹脂やＰＥＥＫ）を用いることが望ましい。
【００３８】
尚、回動機構５は、本実施例では、軸受部４に軸部３を回動自在に設けた構成としたが、軸部３に軸受部４を回動自在に設けた構成としても良い。
【００３９】
また、本実施例では、上記のように軸受部４を三体に分離した構成としたが、軸受部４は上記構成に限られるものではなく、例えば、軸受部４を二体で構成して軸部３の左右端部を支持する構成としても良い。
【００４０】
また更に、回動機構５は、上記の軸部３と軸受部４との構成に限られるものではなく、上記作用・効果を発揮する構成であれば適宜採用するものとして、例えば、軸部３の代わりにフックを採用し、軸受部４の代わりにこのフックを引掛け係止する係止部を採用してフックを係止部に回動自在に設けた構成とした回動機構５としても良い。
【００４１】
また、本実施例は、軸受部４に軸部３を回動自在に設けて構成した回動機構５に侵入防止板８を設けて、この排水溝２を閉塞して小動物の侵入を防止するように構成した侵入防止板８を排水溝２の上下方向に回動自在に設けた構成としている。
【００４２】
具体的には、侵入防止板８は、軸受部４に回動自在に設けた軸部３に設けた構成として、より具体的には、本実施例では、この侵入防止板８を二枚用いた構成としており、この二枚の侵入防止板８を間隔を置いて軸部３に並設した構成としている。
【００４３】
この侵入防止板８は、排水溝２を流れる雨水などの水流によって回動する構成としており、この排水溝２の水流は、多い場合もあれば少ない場合もあり、この少ない水流でも回動できるようにできるだけ軽量化されていることが望ましいが、あまり軽量化を重視して板厚を薄くしたり板幅を細くしたりし過ぎると強度的に不十分なものとなり、回動動作機能は向上するものの、小動物の侵入防止機能は低下してしまう。即ち、侵入防止板８を軽量化することで少ない水の流れに対しても容易に回動することができるが、小動物が排水溝２を通過しようとして侵入防止板８にぶつかってきた際に、強度が弱いと侵入防止板８が変形し、この変形によって隙間が生じて小動物の立入防止柵１内への侵入を許してしまう可能性が生じてしまう。
【００４４】
よって、侵入防止板８は、小動物の衝突に対して耐え得る十分な強度を有し、且つ、できるだけ軽量化が図られた構成とすることが望ましく、本実施例においては、この侵入防止板８を厚さ１〜２ｍｍのアルミ板を用いて帯板状（幅５０ｍｍ程度）に形成した構成としている。
【００４５】
また、この侵入防止板８は、図４に示すように、下端部を排水溝２の下流側に向けて湾曲させた形状に形成した構成とし、この侵入防止板８の下端部を下流側に湾曲させることで、図５，図６に示すように、下端部がより水平方向に近づき、排水溝２を流れる水の表面と平行な関係に近づくことでこの水の表面に対しての侵入防止板の下端部の接触面積が大きくなり、より一層の浮力を得ることができるように構成している。即ち、水圧が小さい僅かな水の流れに対しても侵入防止板８が容易に浮き上がり下流方向に回動してこの侵入防止板８の下端部と排水溝２の底面との間が開放して排出口を形成して、この排出口から流れてきた落ち葉やゴミなどをスムーズに下流側に排出するように構成している。
【００４６】
また、排水溝２を流れる水の流れの状態によっては、落ち葉など非常に軽いものは排水溝２内を流れるが、侵入防止板８を回動させるだけの水圧も水量もない場合も想定され、そのような場合、流れてきた落ち葉などが侵入防止板８に引っ掛かり停滞・堆積して排水溝２を詰まらせる可能性が生じてしまう。このような不具合が生じないよう、上述したように、本実施例は、この排水溝２を閉塞する侵入防止板８間に隙間を設けて、排水溝２の上流から流れてくる落ち葉やゴミなどがこの侵入防止板８と侵入防止板８との間から流出して下流側に排出され、排水溝２が詰まらないように構成している。
【００４７】
更に詳しく説明すると、この二枚の侵入防止板８の並設間隔は、タヌキヤキツネなどの小動物がこの隙間を通って立入防止柵１内に侵入しない間隔に設定している。
【００４８】
具体的には、立入防止柵１の網目の大きさとほぼ同等の間隔、即ち、タヌキやキツネなどの小動物が通過できないようにこれら小動物の頭部の大きさよりも狭い間隔に設定しており、より具体的には、タヌキの頭の大きさは約８０ｍｍ、キツネの頭の大きさは約６５ｍｍ（いずれも成獣の場合）なので、これらが通過できない４５〜５０ｍｍの間隔に設定している。
【００４９】
また更に、本実施例の侵入防止板８は、排水溝２内に垂下した状態では侵入防止板８の下端部が排水溝２の底部に接地する形状に設定して、排水溝２の下流方向には回動するが排水溝２の上流方向には回動しないように構成している。
【００５０】
具体的には、図７に示すように、この侵入防止板８の長さを、立入防止柵１の下部胴縁６から排水溝２の底部までの距離よりも長い長さに設定して排水溝２内に垂下させた状態で排水溝２の底部に接地するように構成して、タヌキやキツネなどの小動物が排水溝２の下流側となる立入防止柵１の外側から排水溝２を通って上流側となる立入防止柵１内に侵入しようとして排水溝２内に垂下している侵入防止板８を押動しても、この侵入防止板８の下端部が排水溝２の底部に接地しているので排水溝２の上流方向に回動することができず、よって、排水溝２内は開通することなく侵入防止板８によって閉塞状態が保持され、小動物はこの排水溝２を通って立入防止柵１内に侵入することができないように構成している。
【００５１】
また、本実施例では、この侵入防止板８の上流方向への回動を不能にする当接部10を設けて、侵入防止板８の下端部が排水溝２の底部に接地しないような状況においても小動物の侵入を防止するように構成している。
【００５２】
具体的には、本実施例では、この当接部10は、回動機構５を構成する軸受部４に設けた構成とし、より具体的には、軸受部４の侵入防止板８の回動軌跡上に位置するところに設けた構成として、排水溝２内に垂下した状態の侵入防止板８がこの当接部10に当接することで排水溝２の上流方向に回動不能となるように構成している。
【００５３】
本実施例は、以上のように構成したので、以下のような作用・効果を発揮する。
【００５４】
本実施例は、図８に示すように、高速道路脇に設置されている立入防止柵１の下部胴縁６と地面との隙間を侵入防止ネット９で塞いでこの隙間からの小動物の侵入防止対策が成されている立入防止柵１の下方地面に対して凹設状態に設けられている排水溝２を閉塞し、この排水溝２を通って立入防止柵１内に侵入しようとするタヌキやキツネなどの小動物の侵入を確実に防止することができる。
【００５５】
しかも、排水溝内に水の流れが生じる度に排水溝２を閉塞している侵入防止板８が下流方向に回動して排水溝２の底部側を開放状態にして上流から流れてくる落ち葉やゴミ、更に侵入防止板８の下端に溜まっている落ち葉やゴミなどをスムーズに下流側に排出するので、侵入防止板８の下端に落ち葉やゴミが継続的に停滞・堆積することがなく、更に、この侵入防止板８が回動できないような僅かな水の流れの場合でも、間隔を置いて並設した二枚の侵入防止板８の間から落ち葉やゴミなどが下流側に排出されるので、これら落ち葉やゴミが本実施例の設置個所で停滞・堆積して排水溝２が詰まってしまう恐れもないので、定期的に排水溝２の詰まりを確認したり堆積した落ち葉やゴミなどを除去したりする作業を行う必要も無く、よって、これら定期定なゴミ除去作業を行うメンテナンス作業費の発生もない。
【００５６】
また更に、本実施例は、上述したように非常に簡易な構成で設計実現が容易であるので安価に製造することができ、更に、取り付け作業も結束バンド７で固定するだけの極めて容易な作業であるため、取り付けが短時間ででき、よって、取り付け作業費も安価となるので、材工共に安価なものとなり実用性に優れると共に経済性にも優れた画期的な小動物侵入防止装置となる。
【００５７】
尚、本考案は、本実施例に限られるものではなく、各構成要件の具体的構成は適宜設計し得るものである。
【符号の説明】
【００５８】
１  立入防止柵
２  排水溝
３  軸部
４  軸受部
５  回動機構
６  下部胴縁
７  結束バンド
８  侵入防止板
９  侵入防止ネット
10  当接部
【図１】
0003172877.tif 000003
【図２】
0003172877.tif 000004
【図３】
0003172877.tif 000005
【図４】
0003172877.tif 000006
【図５】
0003172877.tif 000007
【図６】
0003172877.tif 000008
【図７】
0003172877.tif 000009
【図８】
0003172877.tif 000010